(57)【要約】【課題】本開示は、界面活性剤を含む液剤を供給する液剤投入装置において、潤滑剤の固化を抑止する洗濯機を提供する。【解決手段】本開示におけるドラム式洗濯機は、液剤を収容する、洗剤タンク９及び柔軟剤タンク１０と、洗剤タンク９及び柔軟剤タンク１０から回転ドラム１へ液剤を供給する液剤自動投入装置１１を備える。液剤自動投入装置１１は、筒状に形成されたシリンダ２２ｄと、少なくとも一部がシリンダ２２ｄ内に貫入し、シリンダ２２ｄと摺動可能に設けられたピストン２２ｂと、ピストン２２ｂを直線運動させるカム２２ｃ及び駆動モータ２２ａと、を含むピストンポンプ２２を有する。シリンダ２２ｄとピストン２２ｂとが摺動する摺動部には、増ちょう剤を含まないシリコーンオイル２８が塗布されている。これにより、液剤に含まれる界面活性剤により潤滑剤が乳化、溶出され、潤滑剤が固化することを抑止できる。【選択図】図７
2020092758.tif 000002
【特許請求の範囲】
【請求項１】
筐体と、
前記筐体の内部に弾性支持された水槽ユニットと、
前記水槽ユニットの内部に回転可能に設けられた洗濯槽と、
液剤を収容する、少なくとも一つ以上の液剤タンクと、
前記液剤タンクから前記洗濯槽へ液剤を供給する液剤投入装置を備え、
前記液剤投入装置は、
筒状に形成されたシリンダと、少なくとも一部が前記シリンダ内に貫入し、前記シリンダと摺動可能に設けられたピストンと、前記ピストンを直線運動させる駆動部と、を含むピストンポンプを有し、
前記シリンダと前記ピストンとが摺動する摺動部には、増ちょう剤を含まない潤滑剤が塗布されている、
洗濯機。
【請求項２】
前記ピストンポンプは、
前記シリンダ内に設けられ液剤が吸入される吸入路および液剤が吐出される吐出路と、前記吸入路および前記吐出路に設けられ前記ピストンポンプの動作による液剤の流れ方向を制限する逆止弁と、を有し、前記逆止弁には前記増ちょう剤を含まない潤滑剤が塗布されている、
請求項１に記載の洗濯機。
【発明の詳細な説明】
【技術分野】
【０００１】
本開示は、洗剤や柔軟剤等の液剤を用いて洗濯を行う洗濯機に関する。
【背景技術】
【０００２】
特許文献１は、液剤自動投入装置を備えたドラム式洗濯機を開示する。
【０００３】
特許文献１におけるドラム式洗濯機は、液剤を収容する液剤タンクと、液剤タンクから洗濯槽へ液剤を供給する液剤投入装置を備える。液剤投入装置は、筒状に形成されたシリンダと、シリンダに内装されて液体洗剤を吸入または排出するように動作するピストンと、ピストンを駆動する駆動モータと、を含むピストンポンプを有する。
【先行技術文献】
【特許文献】
【０００４】
【特許文献１】特表２０１６−５２４９９５号公報
【発明の概要】
【発明が解決しようとする課題】
【０００５】
しかしながら、ピストンとシリンダの摺動部には潤滑剤の塗布が必要であり、前記従来技術における構成では、潤滑剤として一般的に増ちょう剤と基油から成るグリスが用いられてきた。
【０００６】
本開示は、界面活性剤を含む液剤を供給する液剤投入装置において、潤滑剤の固化を抑止することによりピストンポンプの動作不良を抑止する洗濯機を提供する。
【課題を解決するための手段】
【０００７】
本開示におけるドラム式洗濯機は、筐体と、前記筐体の内部に弾性支持された水槽ユニットと、前記水槽ユニットの内部に回転可能に設けられた洗濯槽と、液剤を収容する、少なくとも一つ以上の液剤タンクと、前記液剤タンクから前記洗濯槽へ液剤を供給する液剤投入装置を備える。前記液剤投入装置は、筒状に形成されたシリンダと、少なくとも一部がシリンダ内に貫入し、前記シリンダと摺動可能に設けられたピストンと、前記ピストンを直線運動させる駆動部と、を含むピストンポンプを有する。前記シリンダと前記ピストンとが摺動する摺動部には、増ちょう剤を含まない潤滑剤が塗布されている。
【発明の効果】
【０００８】
本開示における洗濯機は、界面活性剤を含む液剤を供給する液剤投入装置において、ピストンポンプの動作不良を抑止することができる。
【図面の簡単な説明】
【０００９】
【図１】実施の形態１における洗濯機の縦断面図
【図２】同洗濯機の外観を示す斜視図
【図３】同洗濯機の液剤自動投入装置の平面図
【図４】同洗濯機の液剤自動投入装置の側面の断面図
【図５】同洗濯機の液剤自動投入装置の要部断面図
【図６】同洗濯機の液剤自動投入装置のピストンポンプにおける要部断面図
【図７】同洗濯機の液剤自動投入装置のピストンポンプ部における潤滑剤の塗布箇所を示す模式図
【発明を実施するための形態】
【００１０】
以下、図面を参照しながら、実施の形態を詳細に説明する。
【００１１】
（実施の形態１）
以下、図１〜７を用いて、実施の形態１を説明する。本実施の形態では、洗濯機としてドラム式洗濯機を例に説明する。
【００１２】
洗濯機の基本構成を説明する。
【００１３】
図１は、実施の形態１における洗濯機の縦断面図である。
【００１４】
図１に示すように、水槽ユニット２は、本体３との間に設けられたばね体（図示せず）及び防振ダンパー５により防振支持されている。水槽ユニット２の内部には、洗濯物を収容する回転ドラム１が回転自在に設けられている。回転ドラム１及び水槽ユニット２は、回転ドラム１の回転軸が前方から後方にかけて傾斜するように配設されている。回転ドラム１は、水槽ユニット２の底部に設けられたモータ６により回転駆動される。
【００１５】
次に、液剤自動投入装置１１の基本構成を説明する。
【００１６】
図２は、実施の形態１における洗濯機の外観を示す斜視図、図３は、同洗濯機の液剤自動投入装置の平面図、図４は、同洗濯機の液剤自動投入装置の側面図、図５は、同洗濯機の同液剤自動投入装置の要部断面図である。
【００１７】
図２に示すように、本体３の前方上部には洗剤入れ７が配設されており、洗剤入れ７の内側には収納部７ａが形成されている。収納部７ａの前方には、洗剤、柔軟剤を手動投入する際に用いる洗剤容器８が着脱可能に収納されている。
【００１８】
また、収納部７ａの後方には、液剤自動投入装置１１（後述）に供給する液剤が充填された洗剤タンク９及び柔軟剤タンク１０が着脱可能に収納されている。
【００１９】
図３、図４に示すように、洗剤入れ７の後方外部には液剤自動投入装置１１が配設されている。液剤自動投入装置１１は、ピストンポンプ２２により洗剤タンク９及び柔軟剤タンク１０に充填された液剤を吸引し、吐出経路１１ａ、連結ホース２５を介して、水槽ユニット２へと液剤を送り出す。
【００２０】
また、液剤自動投入装置１１の後方には、水を供給する為の給水弁１６が配設されている。給水弁１６は開閉可能に設けられ、給水経路１１ｂは給水弁１６と液剤自動投入装置１１とを接続する。
【００２１】
次に、液剤自動投入装置１１の詳細構成を説明する。
【００２２】
図５に示すように、洗剤タンク９及び柔軟剤タンク１０の底部には、それぞれ供給口９ａ、供給口１０ａが設けられている。供給口９ａ、供給口１０ａには逆止弁９ｂ、逆止弁１０ｂがそれぞれ設けられ、逆流を抑止している。
【００２３】
吸入口１４、吸入口１５は、液剤自動投入装置１１から突出するように形成されている。吸入口１４、１５は、洗剤タンク９及び柔軟剤タンク１０が収納部７ａに収納された状態で供給口９ａ、１０ａと連結するように、着脱可能に設けられている。吸入口１４、吸入口１５の先端にはリブ１４ａ、リブ１５ａが設けられており、リブ１４ａ、リブ１５ａの外周にはＶリング１４ｂ、Ｖリング１５ｂが配設されている。これにより、吸入口と供
給口との密閉性を向上させている。
【００２４】
吸入口１４、吸入口１５は、それぞれ吸入経路１５ｃ及び吸入経路１４ｃを介してピストンポンプ２２と接続されている。吸入経路１５ｃ及び吸入経路１４ｃには、切換弁２０及び切換弁２１がそれぞれ配設されている。吸入口１４、吸入口１５から供給された液剤は、対応する切換弁が開状態の時、ピストンポンプ２２へと導入される。なお、給水弁１６と繋がる給水経路１１ｂは、切換弁２０と接続する。対応する切換弁が開状態の時、給水弁１６から供給された水は給水経路１１ｂを介し、ピストンポンプ２２へと到達する。
【００２５】
次に、ピストンポンプ２２について説明する。
【００２６】
図６は、実施の形態１における洗濯機の液剤自動投入装置のピストンポンプにおける要部断面図、図７は、同洗濯機の液剤自動投入装置のピストンポンプ部における潤滑剤の塗布箇所を示す模式図である。
【００２７】
図６に示すように、ピストンポンプ２２は、駆動モータ２２ａ、カム２２ｃ、ピストン２２ｂ、シリンダ２２ｄで構成されている。カム２２ｃは、駆動モータ２２ａによる回転駆動力を上下の直線運動へと変換する。ピストン２２ｂの一部は、シリンダ２２ｄに内包されている。ピストン２２ｂは、カム２２ｃによって駆動され、上下に直線運動をしながらシリンダ２２ｄの内部を摺動する。ピストン２２ｂとシリンダ２２ｄとの間にはパッキン２２ｅが配設されており、ピストン２２ｂとシリンダ２２ｄとの間から液剤や空気がシリンダの外側へ漏れ出ない構造となっている。
【００２８】
シリンダ２２ｄの下部は、吸入側から吐出側へ逆Ｕ字状の管となるように形成されている。上流である吸入路２６には逆止弁２３が、下流である吐出路２７には逆止弁２４がそれぞれ配設されており、液剤を送り出す方向を一方向に限定する。逆止弁２３、逆止弁２４は、逆止弁可動部２３ａ、２４ａ及び逆止弁固定部２３ｂ、２４ｂによりそれぞれ構成されている。対応する逆止弁が開いた状態で、ピストン２２ｂが上方に動くと吸入口１４、吸入口１５から液剤が導入され、ピストン２２ｂが下方に動くと吐出口から液剤が吐出される。
【００２９】
ピストン２２ｂとシリンダ２２ｄ間、またはパッキン２２ｅとシリンダ２２ｄ間が摺動する際、摺動部には摩擦による摺動抵抗が働く。摺動抵抗の低減のため、摺動部には潤滑剤を塗布している。
【００３０】
一般的に、潤滑剤にはグリスが用いられる。グリスは、基油と増ちょう剤との混合物で構成されており、固体である増ちょう剤が基油中に分散して三次元の網目構造を形成することで半固体状となる。従って、グリスの性質は増ちょう剤により左右され、増ちょう剤の配合比率が高くなるとグリスは固体に近づき、固化する。増ちょう剤は大きく分けて石鹸系と非石鹸系があるが、本実施の形態の増ちょう剤はその両方を指している。
【００３１】
一方、本実施の形態における潤滑剤は、グリスではなくシリコーンオイル２８を用いている。シリコーンオイル２８は、増ちょう剤を含有しない。
【００３２】
図７に示すように、シリンダ２２ｄとピストン２２ｂ及びパッキン２２ｅとの摺動部には組立時にシリコーンオイル２８を塗布している。逆止弁２３、２４においても、逆止弁可動部２３ａ、２４ａと逆止弁固定部２３ｂ、２４ｂとの摺動部にシリコーンオイル２８を塗布している。また、摺動部だけでなく、部品と部品の結合部に設けられた逆止弁Ｏリング２３ｃ、逆止弁Ｏリング２４ｃにも、組立時にシリコーンオイル２８を塗布している。シリコーンオイル２８を塗布することにより、摩擦による摺動抵抗を小さくするだけで
なく、密閉性を向上させることができる。
【００３３】
以上の様に構成された洗濯機において、液剤自動投入装置１１の動作を以下説明する。
【００３４】
使用者は、予め洗剤タンク９、柔軟剤タンク１０に液剤の洗剤、柔軟剤をそれぞれ充填しておく。使用者が回転ドラム１に洗濯物を入れて洗濯運転を開始させると、洗濯機は洗い行程、すすぎ行程、脱水工程等の一連の洗濯運転を実施する。液剤自動投入装置１１は洗濯運転における各工程の最適なタイミングで、洗剤、柔軟剤の自動投入動作を実施する。以下、洗剤を自動投入する際の動作を例にとり説明する。
【００３５】
液剤自動投入装置１１は、吸入経路１４ｃを開き、ピストンポンプ２２によって洗剤タンク９内の洗剤を吸出し、水槽ユニット２へ続く経路へと吐出する。このとき、洗剤タンク９から水槽ユニット２へ続く吸入経路１４ｃ、吐出経路１１ａ及びシリンダの注筒部２２ｆ、逆止弁２３、２４において、洗剤が流れる。
【００３６】
ここで、潤滑剤として、グリスを用いた場合を説明する。グリスが経路上に存在すると、洗剤に含まれる界面活性剤の乳化作用により、グリス内の基油のみが溶出される。すると、グリスの基油と増ちょう剤との混合比率において、基油の比率が下がるとともに増ちょう剤の比率が上がり、グリスの固化が起きる。なお、固化とは完全に固体となることに限定せず、グリスが通常よりも硬くなっている状態も含む。
【００３７】
ピストン２２ｂとシリンダ２２ｄの間に潤滑剤の固化物が生じると、ピストン２２ｂとシリンダ２２ｄとの摺動抵抗が大きくなり、パッキン２２ｅの摩耗を引き起こす。また、逆止弁可動部２３ａ、逆止弁可動部２４ａと逆止弁固定部２３ｂ、逆止弁固定部２４ｂとの間に固化物が生じると、■み込み状態となり弁の開閉動作が阻害される。従って、■み込み状態は、ピストンポンプの動作による吸込、吐出が不能となる等の不具合を引き起こす。
【００３８】
本実施の形態では、潤滑剤としてシリコーンオイル２８を用いている。シリコーンオイル２８は増ちょう剤を含まないので、界面活性剤により基油が溶出されて固化するという現象が発生しない。従って、何度も液剤自動投入装置１１を使用するうちに摺動部に固化物が生じ、ピストンポンプの動作不良が起きることを抑止できる。
【００３９】
なお、グリスの代わりにシリコーンオイル２８を用いたとしても、界面活性剤による溶出は起こりうる。従って、シリコーンオイル２８の塗布量は、流出される分を見越して決めているが、別途オイルだまり等の機構を設けてもよい。
【００４０】
以上の通り、実施の形態１におけるドラム式洗濯機は、本体３と、本体３の内部に弾性支持された水槽ユニット２と、水槽ユニット２の内部に回転可能に設けられた回転ドラム１と、液剤を収容する、洗剤タンク９及び柔軟剤タンク１０と、洗剤タンク９及び柔軟剤タンク１０から回転ドラム１へ液剤を供給する液剤自動投入装置１１を備える。液剤自動投入装置１１は、筒状に形成されたシリンダ２２ｄと、少なくとも一部がシリンダ２２ｄ内に貫入し、シリンダ２２ｄと摺動可能に設けられたピストン２２ｂと、ピストン２２ｂを長手方向に直線運動させるカム２２ｃ及び駆動モータ２２ａと、を含むピストンポンプ２２を有する。シリンダ２２ｄとピストン２２ｂとが摺動する摺動部には、増ちょう剤を含まないシリコーンオイル２８が塗布されている。
【００４１】
これにより、液剤に含まれる界面活性剤の乳化作用により潤滑剤内の基油が溶出され、潤滑剤が固化することを抑止できる。そのため、ピストン２２ｂとシリンダ２２ｄとの間の摺動部における潤滑性及び密閉性を確保することができるとともに、固化した潤滑剤に
よりピストンポンプが動作しなくなることを抑止できる。
【００４２】
また、実施の形態１におけるピストンポンプ２２のように、シリンダ２２ｄ内に設けられ液剤が吸入される吸入路２６および液剤が吐出される吐出路２７と、ピストンポンプ２２の動作による液剤の流れ方向を制限する逆止弁２３及び逆止弁２４とを有し、逆止弁２３及び逆止弁２４にはシリコーンオイル２８が塗布されているようにしてもよい。
【００４３】
これにより、固化した潤滑剤により逆止弁が動作しなくなることを抑止できる。
【００４４】
（他の実施の形態）
以上のように、本出願において開示する技術の例示として、実施の形態１を説明した。しかしながら、本開示における技術はこれに限定されない。
【００４５】
そこで、以下、他の実施の形態を例示する。
【００４６】
実施の形態１では、洗濯機の一例としてドラム式洗濯機を説明した。洗濯機は、液剤を用いて洗濯物を洗濯できるものであればよい。従って、洗濯機は、ドラム式洗濯機に限定されず、縦型洗濯機や二槽式洗濯機であってもよい。
【００４７】
実施の形態１では、ピストンポンプの一例として上下運動するピストンを説明した。ピストンは、直線運動すればよいので上下運動に限定されず、水平方向に直線運動してもよい。
【００４８】
実施の形態１では、潤滑剤の一例としてシリコーンオイル２８を説明した。潤滑剤は、増ちょう剤を含まないものであればよい。従って、潤滑剤はシリコーンオイルに限定されず、炭化水素油やフッ素油等の他の材料であってもよい。ただし、潤滑剤に用いられる材料は、洗濯機の使用が想定される０℃以上、４０℃以下で液体であるものが望ましい。
【００４９】
実施の形態１では、潤滑剤を塗布する一例として、組立時に潤滑剤を塗布する方法を説明した。潤滑剤は、摺動部に塗布された状態であればよいので、組立時の塗布に限定しない。従って、組立時において潤滑剤を摺動部に充填し、ピストンポンプを動作させることで潤滑剤が塗布された状態となるように構成してもよい。
【００５０】
実施の形態１では、給水経路、液剤洗剤用経路及び柔軟剤用経路が一つの経路へ合流させた構造で説明しているが、それぞれ単独もしくは２つ以上の経路を合流させる等、どのような組み合わせで経路を構成しても同様の効果を得られる。また同様に、液剤洗剤、柔軟剤経路への通水は無くてもよい。
【産業上の利用可能性】
【００５１】
本開示は、液剤投入装置を備えた洗濯機に適用可能である。具体的には、ドラム式洗濯機、縦型洗濯機、二槽式洗濯機などに、本開示は適用可能である。
【符号の説明】
【００５２】
１  回転ドラム（洗濯槽）
２  水槽ユニット
３  本体
６  モータ
７  洗剤入れ
７ａ  収納部
８  洗剤容器
９  洗剤タンク
９ａ  供給口
９ｂ  逆止弁
１０  柔軟剤タンク
１０ａ  供給口
１０ｂ  逆止弁
１１  液剤自動投入装置（液剤投入装置）
１１ａ  吐出経路
１１ｂ  給水経路
１４  吸入口
１４ａ  リブ
１４ｂ  Ｖリング
１４ｃ  吸入経路
１５  吸入口
１５ａ  リブ
１５ｂ  Ｖリング
１５ｃ  吸入経路
２０  切換弁
２１  切換弁
２２  ピストンポンプ
２２ａ  駆動モータ（駆動部）
２２ｂ  ピストン
２２ｃ  カム
２２ｄ  シリンダ
２２ｅ  パッキン
２２ｆ  注筒部
２３  逆止弁
２３ａ  逆止弁可動部
２３ｂ  逆止弁固定部
２３ｃ  逆止弁Ｏリング
２４  逆止弁
２４ａ  逆止弁可動部
２４ｂ  逆止弁固定部
２４ｃ  逆止弁Ｏリング
２５  連結ホース
２６  吸入路
２７  吐出路
２８  シリコーンオイル（増ちょう剤を含まない潤滑剤）
【図１】
2020092758.tif 000003
【図２】
2020092758.tif 000004
【図３】
2020092758.tif 000005
【図４】
2020092758.tif 000006
【図５】
2020092758.tif 000007
【図６】
2020092758.tif 000008
【図７】
2020092758.tif 000009